(57)【要約】【課題】ドアの解錠用として予め決められた専用端末を用いずに、車両のドアを解錠することができる通信システム、解錠方法及びコンピュータプログラムを提供する。【解決手段】通信システム１では、第１無線端末３は、例えば、第２無線端末４に入力された入力情報が所定情報と一致するか否かを判定する。第２無線端末４は、車両２００のドア２ｄの解錠を指示する解錠信号の送信を要求する要求信号を無線で受信する。第１無線端末３は、要求信号を受信し、かつ、入力情報が所定情報と一致すると判定した場合に解錠信号を無線で送信する。【選択図】図１
2019065632.tif 000002
【特許請求の範囲】
【請求項１】
車両のドアの解錠を指示する解錠信号を無線で送信する解錠信号送信部を有する無線端末を備える通信システムであって、
入力された入力情報が所定情報と一致するか否かを判定する判定部を備え、
前記無線端末は、前記解錠信号の送信を要求する要求信号を無線で受信する要求信号受信部を更に有し、
前記無線端末の前記解錠信号送信部は、前記要求信号受信部が前記要求信号を受信し、かつ、前記判定部によって前記入力情報が前記所定情報と一致すると判定された場合に前記解錠信号を送信する
通信システム。
【請求項２】
前記入力情報が入力される情報入力部、及び、該情報入力部に入力された入力情報を含む情報信号を無線で送信する情報信号送信部を有する第２の無線端末と、
該情報信号送信部が送信した情報信号を受信する情報信号受信部、及び、該情報信号受信部が前記情報信号を受信した場合に前記要求信号を前記無線端末の前記要求信号受信部に送信する要求信号送信部を有する送信装置と
を備え、
前記無線端末又は送信装置が前記判定部を有する
請求項１に記載の通信システム。
【請求項３】
前記入力情報が入力される情報入力部、及び、該情報入力部に入力された入力情報を含む前記要求信号を前記無線端末に送信する要求信号送信部を有する第２の無線端末を備え、
前記無線端末は、前記判定部を有し、
該判定部は、前記要求信号受信部が受信した要求信号に含まれる入力情報が前記所定情報と一致するか否かを判定し、
前記無線端末の前記解錠信号送信部は、前記判定部によって、前記入力情報が前記所定情報と一致すると判定された場合に前記解錠信号を送信する
請求項１に記載の通信システム。
【請求項４】
車両のドアの解錠を指示する解錠信号を無線で送信する解錠信号送信部を有する無線端末を備える通信システムであって、
音声が入力される音声入力部と、
該音声入力部に入力された入力音声が所定音声であるか否かを判定する判定部と
を備え、
前記無線端末は、該判定部によって前記入力音声が前記所定音声である場合に前記解錠信号を送信する
通信システム。
【請求項５】
車両のドアの解錠を指示する解錠信号の送信を要求する要求信号を無線で受信するステップと、
入力された入力情報が所定情報と一致するか否かを判定するステップと、
前記要求信号を受信し、かつ、前記入力情報が前記所定情報と一致すると判定した場合、前記解錠信号を無線で送信するステップと
を含む解錠方法。
【請求項６】
入力された入力音声が所定音声であるか否かを判定するステップと、
前記入力音声が前記所定音声であると判定した場合に、車両のドアの解錠を指示する解錠信号を無線で送信するステップと
を含む解錠方法。
【請求項７】
コンピュータに、
車両のドアの解錠を指示する解錠信号の送信を要求し、入力された入力情報を含む要求信号が無線で受信された場合に、受信された要求信号に含まれる入力情報が所定情報に一致するか否かを判定するステップと、
前記入力情報が前記所定情報に一致すると判定した場合に前記解錠信号の無線での送信を指示するステップと
を実行させるためのコンピュータプログラム。
【請求項８】
コンピュータに、
入力された入力音声が所定音声であるか否かを判定するステップと、
前記入力音声が前記所定音声であると判定した場合に、車両のドアの解錠を指示する解錠信号の無線での送信を指示するステップと
を実行させるためのコンピュータプログラム。
【発明の詳細な説明】
【技術分野】
【０００１】
本発明は、通信システム、解錠方法及びコンピュータプログラムに関する。
【背景技術】
【０００２】
車両のドアの施錠又は解錠を行う場合に、車載装置が無線端末、例えば、電子キーと無線で通信する通信システム（例えば、特許文献１を参照）が普及している。特許文献１に記載の通信システムでは、車両のドアの施錠又は解錠を行う場合、車載装置は、応答信号の送信を要求する要求信号を無線端末に送信する。無線端末は、要求信号を受信した場合に応答信号を無線で車載装置に送信する。車載装置が応答信号を受信した場合、車両のドアの施錠又は解錠が行われる。
【０００３】
特許文献１に記載の通信システムでは、無線端末が車両内にある状態で車両のドアが施錠している場合であっても、車両外にいる人物が車両のドアを解錠することができる。ドアが施錠されている車両内に無線端末があると仮定する。この場合において、車両の乗員が、例えば幼児のみであり、ドアを解錠する操作を知らないとき、車両外にいる人物がドアを解錠しなければならない。
【０００４】
特許文献１に記載の通信システムでは、車両外にいる人物は、第２の無線端末、例えば、スマートフォンを操作し、第２の無線端末にトリガ信号を車載装置へ送信させる。トリガ信号には、トリガ信号の送信元を示す認証情報が含まれている。
【０００５】
車載装置は、トリガ信号を受信した場合、受信したトリガ信号に含まれる認証情報が、自身に記憶されている記憶情報と一致するか否かを判定する。車載装置は、認証情報が記憶情報と一致すると判定した場合、無線端末と通信し、無線端末が車両内にあるか否かを判定する。車載装置は、無線端末が車両内にあると判定した場合、第２の無線端末の位置が所定範囲内の位置であるか否かを判定する。車載装置によって、第２の無線端末の位置が所定範囲内の位置であると判定された場合、車両のドアが解錠される。
【先行技術文献】
【特許文献】
【０００６】
【特許文献１】特開２０１７−６１７９０号公報
【発明の概要】
【発明が解決しようとする課題】
【０００７】
しかしながら、特許文献１に記載の通信システムでは、第２の無線端末は、認証情報が記憶情報である端末、即ち、ドアの解錠用として予め決められた専用端末である。このため、車両外にいる人物は、専用端末を所持していない場合、ドアを解錠することができないという問題がある。
【０００８】
本発明は斯かる事情に鑑みてなされたものであり、その目的とするところは、ドアの解錠用として予め決められた専用端末を用いずに、車両のドアを解錠することができる通信システム、解錠方法及びコンピュータプログラムを提供することにある。
【課題を解決するための手段】
【０００９】
本発明の一態様に係る通信システムは、車両のドアの解錠を指示する解錠信号を無線で送信する解錠信号送信部を有する無線端末を備える通信システムであって、入力された入力情報が所定情報と一致するか否かを判定する判定部を備え、前記無線端末は、前記解錠信号の送信を要求する要求信号を無線で受信する要求信号受信部を更に有し、前記無線端末の前記解錠信号送信部は、前記要求信号受信部が前記要求信号を受信し、かつ、前記判定部によって前記入力情報が前記所定情報と一致すると判定された場合に前記解錠信号を送信する。
【００１０】
本発明の一態様に係る通信システムは、車両のドアの解錠を指示する解錠信号を無線で送信する解錠信号送信部を有する無線端末を備える通信システムであって、音声が入力される音声入力部と、該音声入力部に入力された入力音声が所定音声であるか否かを判定する判定部とを備え、前記無線端末は、該判定部によって前記入力音声が前記所定音声である場合に前記解錠信号を送信する。
【００１１】
本発明の一態様に係る解錠方法は、車両のドアの解錠を指示する解錠信号の送信を要求する要求信号を無線で受信するステップと、入力された入力情報が所定情報と一致するか否かを判定するステップと、前記要求信号を受信し、かつ、前記入力情報が前記所定情報と一致すると判定した場合、前記解錠信号を無線で送信するステップとを含む。
【００１２】
本発明の一態様に係る解錠方法は、入力された入力音声が所定音声であるか否かを判定するステップと、前記入力音声が前記所定音声であると判定した場合に、車両のドアの解錠を指示する解錠信号を無線で送信するステップとを含む。
【００１３】
本発明の一態様に係るコンピュータプログラムは、コンピュータに、車両のドアの解錠を指示する解錠信号の送信を要求し、入力された入力情報を含む要求信号が無線で受信された場合に、受信された要求信号に含まれる入力情報が所定情報に一致するか否かを判定するステップと、前記入力情報が前記所定情報に一致すると判定した場合に前記解錠信号の無線での送信を指示するステップとを実行させる。
【００１４】
本発明の一態様に係るコンピュータプログラムは、コンピュータに、入力された入力音声が所定音声であるか否かを判定するステップと、前記入力音声が前記所定音声であると判定した場合に、車両のドアの解錠を指示する解錠信号の無線での送信を指示するステップとを実行させる。
【００１５】
なお、本発明を、このような特徴的な処理部を備える通信システムとして実現することができるだけでなく、かかる特徴的な処理をステップとする解錠方法として実現したり、かかるステップをコンピュータに実行させるためのコンピュータプログラムとして実現したりすることができる。
【発明の効果】
【００１６】
上記の態様によれば、特定の無線端末を用いることなく、車両のドアを解錠することができる。
【図面の簡単な説明】
【００１７】
【図１】実施形態１における通信システムの要部構成を示すブロック図である。
【図２】第２無線端末を用いて複数のドアを解錠しなければならない状況の説明図である。
【図３】第２無線端末の要部構成を示すブロック図である。
【図４】無線通信処理の手順を示すフローチャートである。
【図５】サーバの要部構成を示すブロック図である。
【図６】サーバ通信処理の手順を示すフローチャートである。
【図７】第１無線端末の要部構成を示すブロック図である。
【図８】第２解錠信号送信処理の手順を示すフローチャートである。
【図９】車載装置の要部構成を示すブロック図である。
【図１０】通信システムの動作を示すシーケンス図である。
【図１１】実施形態２におけるサーバ通信処理の手順を示すフローチャートである。
【図１２】実施形態３における通信システムの要部構成を示すブロック図である。
【図１３】無線通信処理の手順を示すフローチャートである。
【図１４】第１無線端末３の要部構成を示すブロック図である。
【図１５】第２解錠信号送信処理の手順を示すフローチャートである。
【図１６】通信システムの動作を示すシーケンス図である。
【図１７】実施形態４における通信システムの要部構成を示すブロック図である。
【図１８】第１無線端末の要部構成を示すブロック図である。
【図１９】第２解錠信号送信処理の手順を示すフローチャートである。
【発明を実施するための形態】
【００１８】
［本発明の実施形態の説明］
最初に本発明の実施態様を列挙して説明する。以下に記載する実施形態の少なくとも一部を任意に組み合わせてもよい。
【００１９】
（１）本発明の一態様に係る通信システムは、車両のドアの解錠を指示する解錠信号を無線で送信する解錠信号送信部を有する無線端末を備える通信システムであって、入力された入力情報が所定情報と一致するか否かを判定する判定部を備え、前記無線端末は、前記解錠信号の送信を要求する要求信号を無線で受信する要求信号受信部を更に有し、前記無線端末の前記解錠信号送信部は、前記要求信号受信部が前記要求信号を受信し、かつ、前記判定部によって前記入力情報が前記所定情報と一致すると判定された場合に前記解錠信号を送信する。
【００２０】
（２）本発明の一態様に係る通信システムは、前記入力情報が入力される情報入力部、及び、該情報入力部に入力された入力情報を含む情報信号を無線で送信する情報信号送信部を有する第２の無線端末と、該情報信号送信部が送信した情報信号を受信する情報信号受信部、及び、該情報信号受信部が前記情報信号を受信した場合に前記要求信号を前記無線端末の前記要求信号受信部に送信する要求信号送信部を有する送信装置とを備え、前記無線端末又は送信装置が前記判定部を有する。
【００２１】
（３）本発明の一態様に係る通信システムは、前記入力情報が入力される情報入力部、及び、該情報入力部に入力された入力情報を含む前記要求信号を前記無線端末に送信する要求信号送信部を有する第２の無線端末を備え、前記無線端末は、前記判定部を有し、該判定部は、前記要求信号受信部が受信した要求信号に含まれる入力情報が前記所定情報と一致するか否かを判定し、前記無線端末の前記解錠信号送信部は、前記判定部によって、前記入力情報が前記所定情報と一致すると判定された場合に前記解錠信号を送信する。
【００２２】
（４）本発明の一態様に係る通信システムは、車両のドアの解錠を指示する解錠信号を無線で送信する解錠信号送信部を有する無線端末を備える通信システムであって、音声が入力される音声入力部と、該音声入力部に入力された入力音声が所定音声であるか否かを判定する判定部とを備え、前記無線端末は、該判定部によって前記入力音声が前記所定音声である場合に前記解錠信号を送信する。
【００２３】
（５）本発明の一態様に係る解錠方法は、車両のドアの解錠を指示する解錠信号の送信を要求する要求信号を無線で受信するステップと、入力された入力情報が所定情報と一致するか否かを判定するステップと、前記要求信号を受信し、かつ、前記入力情報が前記所定情報と一致すると判定した場合、前記解錠信号を無線で送信するステップとを含む。
【００２４】
（６）本発明の一態様に係る解錠方法は、入力された入力音声が所定音声であるか否かを判定するステップと、前記入力音声が前記所定音声であると判定した場合に、車両のドアの解錠を指示する解錠信号を無線で送信するステップとを含む。
【００２５】
（７）本発明の一態様に係るコンピュータプログラムは、コンピュータに、車両のドアの解錠を指示する解錠信号の送信を要求し、入力された入力情報を含む要求信号が無線で受信された場合に、受信された要求信号に含まれる入力情報が所定情報に一致するか否かを判定するステップと、前記入力情報が前記所定情報に一致すると判定した場合に前記解錠信号の無線での送信を指示するステップとを実行させる。
【００２６】
（８）本発明の一態様に係るコンピュータプログラムは、コンピュータに、入力された入力音声が所定音声であるか否かを判定するステップと、前記入力音声が前記所定音声であると判定した場合に、車両のドアの解錠を指示する解錠信号の無線での送信を指示するステップとを実行させる。
【００２７】
上記の一態様に係る通信システム、解錠方法及びコンピュータプログラムにあっては、車両外にいる人物は、例えば、情報の入力を受け付ける機能と、無線通信の機能とを有する不特定の第２の無線端末を用いて、車両のドアを解錠させることができる。第２の無線端末を用いる場合、車両外にいる人物は、入力情報として所定情報を第２の無線端末に入力し、第２の無線端末に要求信号を無線で送信させる。これにより、解錠信号が送信され、車両のドアが解錠する。ドアの解錠用として予め決められた専用端末を用いる必要はない。
【００２８】
上記の一態様に係る通信システムにあっては、車両外にいる人物は、第２の無線端末に入力情報として所定情報を入力し、第２の無線端末に情報信号を無線で送信させる。これにより、送信装置は要求信号を無線端末に送信する。無線端末は、要求信号を受信した場合、解錠信号を送信し、車両のドアが解錠される。
【００２９】
上記の一態様に係る通信システムにあっては、車両外にいる人物は、第２の無線端末に入力情報として所定情報を入力し、第２の無線端末に要求信号を無線で無線端末へ送信させる。これにより、無線端末は解錠信号を送信し、車両のドアが解錠される。
【００３０】
上記の一態様に係る通信システム、解錠方法及びコンピュータプログラムにあっては、車両外にいる人物は、所定音声を発することによって、解錠信号が送信され、ドアが解錠する。ドアの解錠用として予め決められた専用端末を用いる必要はない。
【００３１】
［本発明の実施形態の詳細］
本発明の実施形態に係る通信システムの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００３２】
（実施形態１）
図１は、実施形態１における通信システム１の要部構成を示すブロック図である。通信システム１は、車載装置２ａ、ドアＥＣＵ(Electronic Control Unit)２ｂ、複数のドアモータ２ｃ，２ｃ，・・・、複数のドア２ｄ，２ｄ，・・・、第１無線端末３、第２無線端末４及びサーバ５を備える。車載装置２ａ、ドアＥＣＵ(Electronic Control Unit)２ｂ、複数のドアモータ２ｃ，２ｃ，・・・及び複数のドア２ｄ，２ｄ，・・・は、車両２００に搭載されている。
【００３３】
車載装置２ａはドアＥＣＵ２ｂに接続されている。ドアＥＣＵ２ｂは、更に、複数のドアモータ２ｃ，２ｃ，・・・に各別に接続されている。複数のドアモータ２ｃ，２ｃ，・・・は、更に、複数のドア２ｄ，２ｄ，・・・に接続されている。サーバ５は、ネットワークＮに接続されている。
【００３４】
第１無線端末３は、スマートフォン又は電子キー等である。第２無線端末４は、例えば、スマートフォンである。第１無線端末３及び第２無線端末４は携帯機器である。
【００３５】
各ドアモータ２ｃは、ドアＥＣＵ２ｂの指示に従って、自身に接続されているドア２ｄの施錠及び解錠を行う。車載装置２ａは、施錠又は解錠を指示するドア信号をドアＥＣＵ２ｂに出力する。ドアＥＣＵ２ｂは、車載装置２ａからドア信号が入力された場合、入力されたドア信号の内容に従って、複数のドアモータ２ｃ，２ｃ，・・・に複数のドア２ｄ，２ｄ，・・・の施錠又は解錠を行わせる。従って、車載装置２ａが施錠を指示するドア信号をドアＥＣＵ２ｂに出力した場合、複数のドア２ｄ，２ｄ，・・・は施錠される。車載装置２ａが解錠を指示するドア信号をドアＥＣＵ２ｂに出力した場合、複数のドア２ｄ，２ｄ，・・・は解錠される。
【００３６】
車載装置２ａは、例えば、Bluetooth（登録商標）の通信規格に従って、第１無線端末３と無線で通信する。第１無線端末３は、複数のドア２ｄ，２ｄ，・・・の施錠を指示する施錠信号と、複数のドア２ｄ，２ｄ，・・・の解錠を指示する解錠信号とを車載装置２ａに無線で送信する。車載装置２ａは、第１無線端末３から施錠信号を受信した場合、施錠を指示するドア信号をドアＥＣＵ２ｂに出力する。これにより、複数のドア２ｄ，２ｄ，・・は施錠される。車載装置２ａは、第１無線端末３から解錠信号を受信した場合、解錠を指示するドア信号をドアＥＣＵ２ｂに出力する。これにより、複数のドア２ｄ，２ｄ，・・・は解錠される。
【００３７】
第１無線端末３は、使用者から、複数のドア２ｄ，２ｄ，・・・の施錠指示及び解錠指示を受け付ける。第１無線端末３は、施錠指示を受け付けた場合、施錠信号を車載装置２ａに無線で送信する。これにより、複数のドア２ｄ，２ｄ，・・・が施錠される。第１無線端末３は、解錠指示を受け付けた場合、解錠信号を車載装置２ａに無線で送信する。これにより、複数のドア２ｄ，２ｄ，・・・が解錠される。
【００３８】
車載装置２ａは、図示しないエンジンの始動指示を受け付けた場合、又は、ドア２ｄの図示しないドアノブに設けられた押ボタンが押された場合、応答信号の送信を要求するＫ（Ｋ：２以上の整数）個の応答要求信号を第１無線端末３に無線で順次送信する。第１無線端末３は、車載装置２ａから応答要求信号を受信する都度、受信した応答要求信号の受信強度を示す応答信号を車載装置２ａに無線で送信する。車載装置２ａは、第１無線端末３からＫ個の応答信号を受信した場合、受信したＫ個の応答信号が示すＫ個の受信強度に基づいて、第１無線端末３の位置を算出する。
【００３９】
車載装置２ａが算出した位置に応じて、エンジンの始動、又は、複数のドア２ｄ，２ｄ，・・・の施錠若しくは解錠が行われる。複数のドア２ｄ，２ｄ，・・・施錠及び解錠は、車載装置２ａがドア信号をドアＥＣＵ２ｂに出力することによって行われる。
【００４０】
第１無線端末３及び第２無線端末４夫々は、ネットワークＮを介してサーバ５と無線で通信する。第１無線端末３及び第２無線端末４夫々は、Bluetooth（登録商標）又はWi-Fi（登録商標）等の通信規格に従って、サーバ５と無線で通信する。車両２００外にいる人物は、第２無線端末４を用いて、複数のドア２ｄ，２ｄ，・・・を解錠することができる。
【００４１】
図２は、第２無線端末４を用いて複数のドア２ｄ，２ｄ，・・・を解錠しなければならない状況の説明図である。図２では、ドア２ｄの数が４である車両２００を示している。全てのドア２ｄ，２ｄ，・・・が施錠された車両２００内に第１無線端末３があると仮定する。この場合において、車両２００の乗員が第１無線端末３の操作方法を知らない、又は、車両２００に乗員がいないとき、車両２００外にいる人物が複数のドア２ｄ，２ｄ，・・・を解錠しなければならない。
【００４２】
通信システム１では、車両２００外にいる人物は、第２無線端末４にサーバ５と無線で通信させ、サーバ５に、解錠信号の送信を要求する解錠要求信号を第１無線端末３に送信させる。第１無線端末３は、解錠要求信号を受信した場合、解錠信号を車載装置２ａに送信する。これにより、車載装置２ａは、解錠を指示するドア信号をドアＥＣＵ２ｂに出力し、複数のドア２ｄ，２ｄ，・・・が解錠される。
以下では、車載装置２ａ、第１無線端末３、第２無線端末４及びサーバ５夫々の詳細な構成を説明する。
【００４３】
図３は、第２無線端末４の要部構成を示すブロック図である。第２無線端末４は、無線通信部４０、タッチパネル４１及びマイクロコンピュータ（以下、マイコンという）４２を有する。マイコン４２は、入出力部６０，６１、記憶部６２及び制御部６３を有する。無線通信部４０及びタッチパネル４１夫々は、マイコン４２が有する入出力部６０，６１に接続されている。入出力部６０，６１、記憶部６２及び制御部６３はバス６４に接続されている。
【００４４】
入出力部６０は、制御部６３の指示に従って、サーバ５へのアクセスを要求するアクセス信号を無線通信部４０に出力する。無線通信部４０は、アクセス信号が入力された場合、ネットワークＮを介して、アクセス信号を無線でサーバ５に送信する。
【００４５】
サーバ５は、アクセス信号を受信した場合、確認情報と送信先情報とを含む情報信号の送信を要求する情報要求信号を、ネットワークＮを介して、第２無線端末４の無線通信部４０に無線で送信する。確認情報は、第２無線端末４を操作している人物を確認するための情報である。送信先情報は、解錠要求信号の送信先を示す情報である。
無線通信部４０は、情報要求信号を受信した場合、情報要求信号を入出力部６０に出力する。入出力部６０は、無線通信部４０から情報要求信号が入力された場合、その旨を制御部６３に通知する。
【００４６】
入出力部６０は、更に、制御部６３の指示に従って、確認情報及び送信先情報を含む情報信号を無線通信部４０に出力する。無線通信部４０は、情報信号が入力された場合、入力された情報信号をサーバ５に無線で送信する。
【００４７】
タッチパネル４１には、アクセス信号の送信先を示すアクセス先情報、確認情報及び送信先情報が、第２無線端末４の操作人物によって入力される。第２無線端末４及びサーバ５が電話機能を有する場合、アクセス先情報は、例えば、サーバ５の電話番号である。また、アクセス先情報は、メッセージ又はメール等の送信で用いられるサーバ５のアドレスであってもよい。確認情報は、暗証番号又はパスワード等であり、例えば、文字及び数字の少なくとも一方を含む情報である。第１無線端末３及びサーバ５が電話機能を有する場合、送信先情報は、例えば、第１無線端末３の電話番号である。また、送信先情報も、メッセージ又はメール等の送信で用いられる第１無線端末３のアドレスであってもよい。確認情報は入力情報に相当し、タッチパネル４１は情報入力部として機能する。
【００４８】
タッチパネル４１は、自身に入力された情報を含む信号を入出力部６１に出力する。制御部６３は、入出力部６１に入力された信号に含まれる情報を入出力部６１から取得する。
また、入出力部６１は、制御部６３の指示に従って、確認情報及び送信先情報の入力画面の表示を指示する表示信号をタッチパネル４１に出力する。タッチパネル４１は、表示信号が入力された場合、確認情報及び送信先情報の入力画面を表示する。
【００４９】
記憶部６２は、不揮発性メモリである。記憶部６２には、コンピュータプログラムＰ４が記憶されている。制御部６３は、ＣＰＵ(Central Processing Unit)を有する。制御部６３のＣＰＵは、コンピュータプログラムＰ４を実行することによって、サーバ５と無線で通信する無線通信処理を実行させる。コンピュータプログラムＰ４は、制御部６３のＣＰＵに無線通信処理を実行させるために用いられる。
【００５０】
なお、コンピュータプログラムＰ４はアプリケーションプログラムであるので、コンピュータプログラムＰ４を、例えば、ネットワークＮを介して図示しない外部装置からダウンロードしてもよい。このため、第２無線端末４は、車両２００外にあり、情報の入力を受け付ける機能と、無線通信の機能とを有する端末であればよく、ドア２ｄの解錠用として予め決められた専用端末である必要はない。例えば、車両２００外にいる人物は、同様に車両２００外にいる他の人物からスマートフォンを借り、コンピュータプログラムＰ４をダウンロードする。これにより、借りたスマートフォンを第２無線端末４として用いることができる。
【００５１】
図４は、無線通信処理の手順を示すフローチャートである。制御部６３は、タッチパネル４１に、アクセス先情報が入力された場合に無線通信処理を実行する。まず、制御部６３は、入出力部６０にアクセス信号の出力を指示する（ステップＳ１）。これにより、入出力部６０はアクセス信号を無線通信部４０に出力する。無線通信部４０は、タッチパネル４１に入力されたアクセス先情報に従って、アクセス信号をサーバ５に送信する。サーバ５は、アクセス信号を受信した場合、情報要求信号を無線通信部４０に送信する。無線通信部４０は、情報要求信号を受信した場合、受信した情報要求信号を入出力部６０に出力する。
【００５２】
制御部６３は、ステップＳ１を実行した後、入出力部６０に情報要求信号が入力されたか否かを判定する（ステップＳ２）。制御部６３は、情報要求信号が入力されていないと判定した場合（Ｓ２：ＮＯ）、ステップＳ２を再び実行し、入出力部６０に情報要求信号が入力されるまで待機する。制御部６３は、情報要求信号が入力されたと判定した場合（Ｓ２：ＹＥＳ）、表示信号の出力を入出力部６１に指示する（ステップＳ３）。これにより、入出力部６１は表示信号をタッチパネル４１に出力し、タッチパネル４１は、確認情報及び送信先情報の入力画面を表示し、確認情報及び送信先情報の入力を受け付ける。タッチパネル４１は、確認情報及び送信先情報が入力された場合、入力された確認情報及び送信先情報を含む信号を入出力部６１に出力する。
【００５３】
制御部６３は、ステップＳ３を実行した後、タッチパネル４１に確認情報及び送信先情報が入力されたか否かを判定する（ステップＳ４）。ステップＳ４では、確認情報及び送信先情報を含む信号が入出力部６１に入力された場合、確認情報及び送信先情報が入力されたと判定し、確認情報及び送信先情報を含む信号が入出力部６１に入力されていない場合、確認情報及び送信先情報が入力されていないと判定する。
【００５４】
制御部６３は、確認情報及び送信先情報が入力されていないと判定した場合（Ｓ４：ＮＯ）、ステップＳ４を再び実行し、確認情報及び送信先情報が入力されるまで待機する。制御部６３は、確認情報及び送信先情報が入力されたと判定した場合（Ｓ４：ＹＥＳ）、入力された確認情報及び送信先情報を含む情報信号の出力を入出力部６０に指示する（ステップＳ５）。これにより、入出力部６０は情報信号を無線通信部４０に出力する。無線通信部４０は、タッチパネル４１に入力されたアクセス先情報に従って、情報信号をサーバ５に無線で送信する。無線通信部４０は情報信号送信部として機能する。制御部５２は、ステップＳ５を実行した後、無線通信処理を終了する。
【００５５】
図５は、サーバ５の要部構成を示すブロック図である。サーバ５は、サーバ通信部５０、記憶部５１及び制御部５２を有する。これらは、バス５３に接続されている。サーバ通信部５０は、更に、ネットワークＮに接続されている。
サーバ通信部５０は、第２無線端末４の無線通信部４０が送信したアクセス信号及び情報信号を、ネットワークＮを介して受信する。サーバ通信部５０は情報信号受信部として機能する。また、サーバ通信部５０は、制御部５２の指示に従って、情報要求信号を第２無線端末４に無線で送信すると共に、解錠要求信号を第１無線端末３に無線で送信する。
【００５６】
記憶部５１は不揮発性メモリである。記憶部５１には、コンピュータプログラムＰ５が記憶されている。制御部５２はＣＰＵを有する。制御部５２のＣＰＵは、コンピュータプログラムＰ５を実行することによって、第１無線端末３及び第２無線端末４と通信するサーバ通信処理を実行する。コンピュータプログラムＰ５は、サーバ通信処理を制御部５２のＣＰＵに実行させるために用いられる。
【００５７】
なお、コンピュータプログラムＰ５は、制御部５２のＣＰＵが読み取り可能に、記憶媒体Ａ５に記憶されていてもよい。この場合、図示しない読み出し装置によって記憶媒体Ａ５から読み出されたコンピュータプログラムＰ５が記憶部５１に記憶される。記憶媒体Ａ５は、光ディスク、フレキシブルディスク、磁気ディスク、磁気光ディスク又は半導体メモリ等である。光ディスクは、ＣＤ（Compact Disc）−ＲＯＭ(Read Only Memory)、ＤＶＤ（Digital Versatile Disc）−ＲＯＭ、又は、ＢＤ（Blu-ray(登録商標) Disc）等である。磁気ディスクは、例えばハードディスクである。また、例えば、ネットワークＮに接続されている図示しない外部装置からコンピュータプログラムＰ５をダウンロードし、ダウンロードしたコンピュータプログラムＰ５を記憶部５１に記憶してもよい。
【００５８】
図６はサーバ通信処理の手順を示すフローチャートである。制御部５２は、サーバ通信部５０がアクセス信号を受信した場合にサーバ通信処理を実行する。まず、サーバ通信処理では、制御部５２は、アクセス信号の送信元である第２無線端末４への情報要求信号の送信をサーバ通信部５０に指示する（ステップＳ１１）。これにより、サーバ通信部５０は、第２無線端末４の無線通信部４０に情報要求信号を無線で送信する。前述したように、第２無線端末４の無線通信部４０は、情報要求信号を受信した場合、情報信号をサーバ５に送信する。
【００５９】
制御部５２は、ステップＳ１１を実行した後、サーバ通信部５０が第２無線端末４の無線通信部４０から情報信号を受信したか否かを判定する（ステップＳ１２）。制御部５２は、サーバ通信部５０が情報信号を受信していないと判定した場合（Ｓ１２：ＮＯ）、ステップＳ１２を再び実行し、サーバ通信部５０が情報信号を受信するまで待機する。
【００６０】
制御部５２は、サーバ通信部５０が情報信号を受信したと判定した場合（Ｓ１２：ＹＥＳ）、受信した情報信号に含まれる送信先情報が示す第１無線端末３への解錠要求信号の送信をサーバ通信部５０に指示する（ステップＳ１３）。これにより、サーバ通信部５０は、解錠要求信号を、ネットワークＮを介して第１無線端末３に無線で送信する。解錠要求信号には、サーバ通信部５０が受信した情報信号の確認情報が含まれている。サーバ通信部５０は要求信号送信部としても機能し、サーバ５は送信装置として機能する。制御部５２は、ステップＳ１３を実行した後、サーバ通信処理を終了する。
【００６１】
図７は第１無線端末３の要部構成を示すブロック図である。第１無線端末３は、端末受信部３０、強度検出部３１、端末送信部３２、無線通信部３３、受付部３４、マイコン３５、受信アンテナＲ３及び送信アンテナＴ３を有する。マイコン３５は、入力部７０，７１，７２，７３、出力部７４、記憶部７５及び制御部７６を有する。
【００６２】
受信アンテナＲ３は、端末受信部３０及び強度検出部３１に接続されている。端末受信部３０及び強度検出部３１夫々は、更に、マイコン３５が有する入力部７０，７１に接続されている。送信アンテナＴ３は端末送信部３２に接続されている。端末送信部３２は、更に、マイコン３５の出力部７４に接続されている。無線通信部３３及び受付部３４夫々は、マイコン３５が有する入力部７２，７３に接続されている。マイコン３５内では、入力部７０，７１，７２，７３、出力部７４、記憶部７５及び制御部７６はバス７７に接続されている。
【００６３】
受信アンテナＲ３には、車載装置２ａが送信した要求信号が入力される。端末受信部３０は、受信アンテナＲ３に入力された応答要求信号を受信し、受信した応答要求信号を入力部７０に出力する。入力部７０は、端末受信部３０から応答要求信号が入力された場合、その旨を制御部７６に通知する。
【００６４】
強度検出部３１は、受信アンテナＲ３に入力された応答要求信号の強度、即ち、端末受信部３０が受信アンテナＲ３を介して受信した応答要求信号の受信強度を検出し、検出した受信強度を示す強度信号を入力部７１に出力する。入力部７１は、強度検出部３１から強度信号が入力された場合、入力された強度信号が示す受信強度を制御部７６に通知する。
【００６５】
出力部７４は、制御部７６の指示に従って、強度検出部３１が検出した応答要求信号の受信強度を示す応答信号を端末送信部３２に出力する。端末送信部３２は、出力部７４から応答信号が入力された場合、入力された応答信号を、送信アンテナＴ３を介して車載装置２ａに無線で送信する。
【００６６】
更に、出力部７４は、制御部７６の指示に従って、施錠信号及び解錠信号を端末送信部３２に出力する。端末送信部３２は、施錠信号が入力された場合、施錠信号を、送信アンテナＴ３を介して車載装置２ａに無線で送信する。端末送信部３２は、解錠信号が入力された場合、解錠信号を、送信アンテナＴ３を介して車載装置２ａに無線で送信する。
【００６７】
無線通信部３３は、サーバ５のサーバ通信部５０が、ネットワークＮを介して送信した解錠要求信号を無線で受信し、受信した解錠要求信号を入力部７２に出力する。入力部７２に解錠要求信号が入力された場合、その旨を制御部７６に通知する。制御部７６は、解錠要求信号に含まれる情報を入力部７２から取得する。無線通信部３３は、要求信号受信部として機能する。
【００６８】
受付部３４は、使用者から、複数のドア２ｄ，２ｄ，・・・の施錠指示及び解錠指示を受け付ける。受付部３４は、施錠指示又は解錠指示を受け付けた場合、受け付けた内容を示す受付信号を入力部７３に出力する。入力部７３は、受付部３４から受付信号が入力された場合、入力された受付信号が示す内容を制御部７６に通知する。従って、受付部３４が施錠指示又は解錠指示を受け付けた場合、受け付けた指示が制御部７６に通知される。
【００６９】
記憶部７５は不揮発性メモリである。記憶部７５には、コンピュータプログラムＰ３が記憶されている。制御部７６はＣＰＵを有する。制御部７６のＣＰＵは、コンピュータプログラムＰ３を実行することによって、応答信号送信処理、施錠信号送信処理、第１解錠信号送信処理及び第２解錠信号送信処理を実行する。
【００７０】
応答信号送信処理は、応答信号を送信する処理である。施錠信号送信処理は、施錠信号を送信する処理である。第１解錠信号送信処理及び第２解錠信号送信処理は、解錠信号を送信する処理である。コンピュータプログラムＰ３は、制御部７６のＣＰＵに、応答信号送信処理、施錠信号送信処理、第１解錠信号送信処理及び第２解錠信号送信処理を実行させるために用いられる。
【００７１】
なお、コンピュータプログラムＰ３は、制御部７６のＣＰＵが読み取り可能に、記憶媒体に記憶されていてもよい。この場合、例えば、第１無線端末３の製造過程において、図示しない読み出し装置によって記憶媒体から読み出されたコンピュータプログラムＰ３が記憶部７５に記憶される。記憶媒体は、記憶媒体Ａ５と同様に、光ディスク、フレキシブルディスク、磁気ディスク、磁気光ディスク又は半導体メモリ等である。
【００７２】
制御部７６は、端末受信部３０が受信アンテナＲ３を介して応答要求信号を受信した場合に応答信号送信処理を実行する。応答信号送信処理では、制御部７６は、強度検出部３１が検出した応答要求信号の受信強度を示す応答信号の出力を出力部７４に指示する。これにより、出力部７４は、応答信号を端末送信部３２に応答信号を出力し、端末送信部３２は応答信号を車載装置２ａに送信する。制御部７６は、応答信号の出力を指示した後、応答信号送信処理を終了する。
【００７３】
制御部７６は、受付部３４が施錠指示を受け付けた場合、施錠信号送信処理を実行する。制御部７６は、施錠信号の出力を出力部７４に指示する。これにより、出力部７４は、施錠信号を端末送信部３２に出力し、端末送信部３２は、施錠信号を、送信アンテナＴ３を介して車載装置２ａに送信する。制御部７６は、施錠信号の出力を指示した後、施錠信号送信処理を終了する。
【００７４】
制御部７６は、受付部３４が解錠指示を受け付けた場合、第１解錠信号送信処理を実行する。制御部７６は、解錠信号の出力を出力部７４に指示する。これにより、出力部７４は、解錠信号を端末送信部３２に出力し、端末送信部３２は、解錠信号を、送信アンテナＴ３を介して車載装置２ａに送信する。制御部７６は、解錠信号の出力を指示した後、解錠信号送信処理を終了する。
【００７５】
図８は第２解錠信号送信処理の手順を示すフローチャートである。制御部７６は、入力部７２に解錠要求信号が入力された場合、即ち、無線通信部３３が解錠要求信号を受信した場合に第２解錠信号送信処理を実行する。まず、制御部７６は、無線通信部３３が受信した解錠要求信号に含まれている確認情報が所定情報と一致するか否かを判定する（ステップＳ２１）。所定情報は記憶部７５に予め記憶されている。制御部７６は判定部として機能する。
【００７６】
制御部７６は、確認情報が所定情報と一致すると判定した場合（Ｓ２１：ＹＥＳ）、出力部７４に解錠信号の出力を指示する（ステップＳ２２）。これにより、出力部７４は、解錠信号を端末送信部３２に出力し、端末送信部３２は、解錠信号を、送信アンテナＴ３を介して車載装置２ａに無線で送信する。端末送信部３２は解錠信号送信部として機能する。出力部７４に解錠信号の出力を指示することは、端末送信部３２に解錠信号の無線での送信を指示することに相当する。
制御部７６は、確認情報が所定情報と一致していないと判定した場合（Ｓ２１：ＮＯ）、又は、ステップＳ２２を実行した後、解錠信号送信処理を終了する。
【００７７】
図９は、車載装置２ａの要部構成を示すブロック図である。車載装置２ａは、車両送信部２０、車両受信部２１、マイコン２２、受信アンテナＲ２及びＫ個の送信アンテナＴ２，Ｔ２，・・・を有する。マイコン２２は、出力部８０，８１、入力部８２、記憶部８３及び制御部８４を有する。
【００７８】
Ｋ個の送信アンテナＴ２，Ｔ２，・・・は車両送信部２０に接続されている。車両送信部２０は、更に、マイコン２２の出力部８０に接続されている。受信アンテナＲ２は車両受信部２１に接続されている。車両受信部２１は、更に、マイコン２２の入力部８２に接続されている。マイコン２２内では、出力部８０，８１、入力部８２、記憶部８３及び制御部８４はバス８５に接続されている。出力部８１は、更に、ドアＥＣＵ２ｂに接続されている。
【００７９】
マイコン２２の出力部８０は、制御部８４の指示に従って、応答要求信号を車両送信部２０に出力する。車両送信部２０は、出力部８０から応答要求信号が入力された場合、Ｋ個の送信アンテナＴ２，Ｔ２，・・・を介して応答要求信号を無線で順次送信する。Ｋ個の送信アンテナＴ２，Ｔ２，・・・は、車両２００において、種々の場所に配置されている。図２に示す車載装置２ａの位置は、正確には、Ｋ個の送信アンテナＴ２，Ｔ２，・・・を除く車載装置２ａの主要な部分が配置されている位置である。
【００８０】
前述したように、第１無線端末３は、応答要求信号を受信した場合、応答信号を車載装置２ａに送信する。車両受信部２１は、受信アンテナＲ２を介して応答信号を受信する。車両受信部２１は、応答信号を受信した場合、受信した応答信号を入力部８２に出力する。入力部８２は、車両受信部２１から応答信号が入力された場合、入力された応答信号が示す受信強度を制御部８４に通知する。
【００８１】
また、車両受信部２１は、第１無線端末３から施錠信号及び解錠信号を受信する。車両受信部２１は、施錠信号又は解錠信号を受信した場合、受信した施錠信号又は解錠信号を入力部８２に出力する。入力部８２は、施錠信号又は解錠信号が入力された場合、入力された信号を制御部８４に通知する。
【００８２】
出力部８１は、制御部８４の指示に従って、ドア信号をドアＥＣＵ２ｂに出力する。出力部８１が施錠を指示するドア信号をドアＥＣＵ２ｂに出力した場合、前述したように、複数のドアモータ２ｃ，２ｃ，・・・は、複数のドア２ｄ，２ｄ，・・・を施錠する。出力部８１が解錠を指示するドア信号をドアＥＣＵ２ｂに出力した場合、前述したように、複数のドアモータ２ｃ，２ｃ，・・・は、複数のドア２ｄ，２ｄ，・・・を解錠する。
【００８３】
記憶部８３は不揮発性メモリである。記憶部８３には、コンピュータプログラムＰ２が記憶されている。制御部８４はＣＰＵを有する。制御部８４のＣＰＵは、コンピュータプログラムＰ２を実行することによって、位置確認処理、施錠処理及び解錠処理を実行する。位置確認処理は、第１無線端末３の位置を確認する処理である。施錠処理は、複数のドア２ｄ，２ｄ，・・・を施錠する処理である。解錠処理は、複数のドア２ｄ，２ｄ，・・・を解錠する処理である。コンピュータプログラムＰ２は、制御部８４のＣＰＵに位置確認処理、施錠処理及び解錠処理を実行させるために用いられる。
【００８４】
なお、コンピュータプログラムＰ２は、制御部８４のＣＰＵが読み取り可能に、記憶媒体Ａ２に記憶されていてもよい。この場合、図示しない読み出し装置によって記憶媒体Ａ２から読み出されたコンピュータプログラムＰ２が記憶部８３に記憶される。記憶媒体Ａ２は、光ディスク、フレキシブルディスク、磁気ディスク、磁気光ディスク又は半導体メモリ等である。また、ネットワークに接続されている図示しない外部装置からコンピュータプログラムＰ２をダウンロードし、ダウンロードしたコンピュータプログラムＰ２を記憶部８３に記憶してもよい。
【００８５】
エンジンの始動指示を受け付けた場合、又は、ドア２ｄのドアノブに設けられた押ボタンが押された場合、制御部８４は位置確認処理を実行する。制御部８４は、出力部８０に応答要求信号の出力を指示する。これにより、出力部８０は応答要求信号を出力し、車両送信部２０は、Ｋ個の送信アンテナＴ２，Ｔ２，・・・を介して応答要求信号を第１無線端末３に順次送信する。第１無線端末３は、前述したように、応答要求信号を受信する都度、応答信号を車載装置２ａに送信する。
【００８６】
制御部８４は、車両受信部２１が第１無線端末３からＫ個の応答信号を受信した場合、これらの応答信号に含まれるＫ個の受信強度に基づいて、第１無線端末３の位置を算出する。制御部８４が算出した第１無線端末３の位置に応じて、エンジンの始動、又は、複数のドア２ｄ，２ｄ，・・・の施錠若しくは解錠が行われる。複数のドア２ｄ，２ｄ，・・・施錠及び解錠は、出力部８１がドア信号をドアＥＣＵ２ｂに出力することによって行われる。
【００８７】
制御部８４は、車両受信部２１が施錠信号を第１無線端末３から受信した場合に施錠処理を実行する。制御部８４は、出力部８１に施錠を指示するドア信号の出力を指示し、施錠処理を終了する。これにより、出力部８１は、施錠を指示するドア信号をドアＥＣＵ２ｂに出力し、複数のドア２ｄ，２ｄ，・・・は施錠される。
【００８８】
また、制御部８４は、車両受信部２１が解錠信号を第１無線端末３から受信した場合に解錠処理を実行する。制御部８４は、出力部８１に解錠を指示するドア信号の出力を指示し、解錠処理を終了する。これにより、出力部８１は、解錠を指示するドア信号をドアＥＣＵ２ｂに出力し、複数のドア２ｄ，２ｄ，・・・は解錠される。
【００８９】
図１０は、通信システム１の動作を示すシーケンス図である。第２無線端末４を用いて複数のドア２ｄ，２ｄ，・・・を解錠する動作を説明する。車両２００外にいる人物は、第２無線端末４にアクセス先情報を入力し、第２無線端末４にアクセス信号をサーバ５に無線で送信させる。サーバ５は、情報要求信号を第２無線端末４に送信する。第２無線端末４は、情報要求信号を受信した場合、入力画面を表示する。車両２００外にいる人物は、確認情報及び送信先情報を入力する。その後、第２無線端末４は、入力された確認情報及び送信先情報を含む情報信号をサーバ５に送信する。
【００９０】
サーバ５は、情報信号を受信した場合、受信した情報信号に含まれる送信先情報に従って、情報信号の確認情報を含む解錠要求信号を第１無線端末３に送信する。第１無線端末３は、解錠要求信号を受信した場合、受信した解錠要求信号に含まれる確認情報が所定情報であるか否かを判定する。第１無線端末３は、確認情報が所定情報であると判定した場合、解錠信号を車載装置２ａに送信する。車載装置２ａは、解錠信号を受信した場合、解錠を指示するドア信号をドアＥＣＵ２ｂに出力する。これにより、複数のドア２ｄ，２ｄ，・・・は解錠される。
【００９１】
前述したように、不特定の無線端末を第２無線端末４として用いることができる。このため、ドア２ｄの解錠用として予め決められた専用端末を用いることなく、車両２００のドア２ｄを解錠することができる。
【００９２】
（実施形態２）
実施形態１では、第１無線端末３の制御部７６によって、確認情報が所定情報と一致するか否かを判定され、制御部７６が判定部として機能する。しかしながら、確認情報が所定情報と一致するか否かの判定を行う構成部は、制御部７６に限定されない。
以下では、実施形態２について、実施形態１と異なる点を説明する。後述する構成を除く他の構成については、実施形態１と共通しているため、実施形態１と共通する構成部には実施形態１と同一の参照符号を付してその説明を省略する。
【００９３】
実施形態２を実施形態１と比較した場合、サーバ５の制御部５２が行うサーバ通信処理の手順と、第１無線端末３の制御部７６が行う第２解錠信号送信処理の手順とが異なる。
【００９４】
図１１は、実施形態２におけるサーバ通信処理の手順を示すフローチャートである。サーバ５の制御部５２は、実施形態１と同様に、サーバ通信部５０がアクセス信号を受信した場合にサーバ通信処理を実行する。実施形態２におけるサーバ通信処理のステップＳ３１，Ｓ３２，Ｓ３４夫々は、実施形態１におけるサーバ通信処理のステップＳ１１，Ｓ１２，Ｓ１３と同様である。このため、ステップＳ３１，Ｓ３２，Ｓ３４の詳細な説明を省略する。
【００９５】
制御部５２は、サーバ通信部５０が情報信号を受信したと判定した場合（Ｓ３２：ＹＥＳ）、サーバ通信部５０が受信した情報信号に含まれる確認情報が所定情報と一致するか否かを判定する（ステップＳ３３）。実施形態２では、所定情報は、第１無線端末３の記憶部７５ではなく、サーバ５の記憶部５１に予め記憶されている。制御部５２は、確認情報が所定情報と一致すると判定した場合（Ｓ３３：ＹＥＳ）、ステップＳ３４を実行し、サーバ通信部５０は、受信した情報信号に含まれる送信先情報が示す第１無線端末３に解錠要求信号を無線で送信する。制御部５２は、確認情報が所定情報と一致していないと判定した場合（Ｓ３３：ＮＯ）、又は、ステップＳ３４を実行した後、サーバ通信処理を終了する。
【００９６】
第１無線端末３の制御部７６は、実施形態１と同様に、無線通信部３３が解錠要求信号を受信した場合に第２解錠信号送信処理を実行する。第２解錠信号送信処理では、制御部７６は、出力部７４に解錠信号の出力を指示する。これにより、出力部７４は、解錠信号を端末送信部３２に出力し、端末送信部３２は、解錠信号を、送信アンテナＴ３を介して車載装置２ａに送信する。制御部７６は、解錠信号の出力を指示した後、第２解錠信号送信処理を終了する。
【００９７】
以上のように、第１無線端末３の制御部７６ではなく、サーバ５の制御部５２によって、確認情報が所定情報であるか否かが判定されてもよい。実施形態２では、制御部５２が判定部として機能する。
実施形態２における通信システムは、実施形態１における通信システム１が奏する効果を同様に奏する。
【００９８】
（実施形態３）
図１２は、実施形態３における通信システム１の要部構成を示すブロック図である。
以下では、実施形態３について、実施形態１と異なる点を説明する。後述する構成を除く他の構成については、実施形態１と共通しているため、実施形態１と共通する構成部には実施形態１と同一の参照符号を付してその説明を省略する。
【００９９】
実施形態３における通信システム１は、実施形態１における通信システム１が備える構成部の中で、サーバ５を除く他の構成部を同様に備える。実施形態３における通信システム１では、車両２００外にいる人物は、第２無線端末４に解錠要求信号を第１無線端末３へ送信させる。第１無線端末３は、Bluetooth（登録商標）又はWi-Fi（登録商標）等の通信規格に従って、第２無線端末４と無線で通信する。
【０１００】
図３に示す第２無線端末４の入出力部６０は、制御部６３の指示に従って、第１無線端末３へのアクセスを要求するアクセス信号を無線通信部４０に出力する。無線通信部４０は、入出力部６０からアクセス信号が入力された場合、アクセス信号を無線で第１無線端末３の無線通信部３３に送信する。
【０１０１】
第１無線端末３の無線通信部３３は、アクセス信号を受信した場合、確認情報を含む信号の送信を要求する情報要求信号を第２無線端末４の無線通信部４０に無線で送信する。
無線通信部４０は、情報要求信号を受信した場合、情報要求信号を入出力部６０に出力する。入出力部６０は、無線通信部４０から情報要求信号が入力された場合、その旨を制御部６３に通知する。
【０１０２】
入出力部６０は、更に、制御部６３の指示に従って、確認情報を含み、解錠信号の送信を要求する解錠要求信号を無線通信部４０に出力する。無線通信部４０は、解錠要求信号が入力された場合、入力された解錠要求信号を無線で送信する。
【０１０３】
タッチパネル４１には、アクセス信号の送信先を示すアクセス先情報、及び、確認情報が、第２無線端末４の操作人物によって入力される。アクセス先情報は、例えば、メッセージ又はメール等の送信で用いられる第１無線端末３のアドレスである。
また、入出力部６１は、制御部６３の指示に従って、確認情報の入力画面の表示を指示する表示信号をタッチパネル４１に出力する。タッチパネル４１は、入出力部６１から表示信号が入力された場合、確認情報の入力画面を表示する。
【０１０４】
図１３は無線通信処理の手順を示すフローチャートである。実施形態３における無線通信処理は、サーバ５ではなく、第１無線端末３と無線で通信する処理である。第２無線端末４の制御部６３は、実施形態１と同様に、タッチパネル４１にアクセス先情報が入力された場合に無線通信処理を実行する。
【０１０５】
まず、制御部６３は、入出力部６０にアクセス信号の出力を指示する（ステップＳ４１）。これにより、入出力部６０はアクセス信号を無線通信部４０に出力する。無線通信部４０は、タッチパネル４１に入力されたアクセス先情報に従って、アクセス信号を第１無線端末３の無線通信部３３に送信する。無線通信部３３は、アクセス信号を受信した場合、情報要求信号を無線通信部４０に送信する。無線通信部４０は、情報要求信号を受信した場合、受信した情報信号を入出力部６０に出力する。
【０１０６】
制御部６３は、ステップＳ１を実行した後、入出力部６０に情報要求信号が入力されたか否かを判定する（ステップＳ４２）。制御部６３は、情報要求信号が入力されていないと判定した場合（Ｓ４２：ＮＯ）、ステップＳ４２を再び実行し、入出力部６０に情報要求信号が入力されるまで待機する。制御部６３は、情報要求信号が入力されたと判定した場合（Ｓ４２：ＹＥＳ）、表示信号の出力を入出力部６１に指示する（ステップＳ４３）。これにより、入出力部６１は表示信号をタッチパネル４１に出力し、タッチパネル４１は、確認情報の入力画面を表示し、確認情報の入力を受け付ける。タッチパネル４１は、確認情報が入力された場合、入力された確認情報を含む信号を入出力部６１に出力する。
【０１０７】
制御部６３は、ステップＳ４３を実行した後、タッチパネル４１に確認情報が入力されたか否かを判定する（ステップＳ４４）。ステップＳ４４では、確認情報を含む信号が入出力部６１に入力された場合、確認情報が入力されたと判定し、確認情報を含む信号が入出力部６１に入力されていない場合、確認情報が入力されていないと判定する。
【０１０８】
制御部６３は、確認情報が入力されていないと判定した場合（Ｓ４４：ＮＯ）、ステップＳ４４を再び実行し、確認情報が入力されるまで待機する。制御部６３は、確認情報が入力されたと判定した場合（Ｓ４４：ＹＥＳ）、入力された確認情報を含む解錠要求信号の出力を入出力部６０に指示する（ステップＳ４５）。これにより、入出力部６０は解錠要求信号を無線通信部４０に出力する。無線通信部４０は、タッチパネル４１に入力されたアクセス先情報に従って、確認情報を含む解錠要求信号を第１無線端末３の無線通信部３３に無線で送信する。実施形態３では、無線通信部４０が要求信号送信部として機能する。
制御部５２は、ステップＳ４５を実行した後、無線通信処理を終了する。
【０１０９】
図１４は、第１無線端末３の要部構成を示すブロック図である。実施形態３における第１無線端末３のマイコン３５は、実施形態１と同様に、入力部７０，７１，７３、出力部７４、記憶部７５及び制御部７６を有する。これらは、実施形態１と同様に接続されている。マイコン３５は、入力部７２の代わりに、入出力部７８を有する。入出力部７８は、無線通信部３３及びバス７７に接続されている。
【０１１０】
無線通信部３３は、第２無線端末４の無線通信部４０が無線で送信したアクセス信号及び解錠要求信号を受信する。無線通信部３３は、アクセス信号又は解錠要求信号を受信した場合、受信したアクセス信号又は解錠要求信号を入出力部７８に出力する。入出力部７８にアクセス信号又は解錠要求信号が入力された場合、入力された信号を制御部７６に通知する。制御部７６は、アクセス信号及び解錠要求信号夫々に含まれる情報を入出力部７８から取得する。入出力部７８は、制御部７６の指示に従って、情報要求信号を無線通信部３３に出力する。無線通信部３３は、情報要求信号が入力された場合、入力された情報要求信号を第２無線端末４の無線通信部４０に無線で送信する。
【０１１１】
図１５は、第２解錠信号送信処理の手順を示すフローチャートである。第１無線端末３の制御部７６は、無線通信部３３がアクセス信号を受信した場合に第２解錠信号送信処理を実行する。まず、制御部７６は、入出力部７８に情報要求信号の出力を指示する（ステップＳ５１）。これにより、入出力部７８は、情報要求信号を無線通信部３３に出力し、無線通信部３３は、アクセス信号に含まれるアクセス情報に従って、情報要求信号を第２無線端末４の無線通信部４０に無線で送信する。無線通信部４０は、情報要求信号を受信した場合、確認情報を含む解錠要求信号を第１無線端末３の無線通信部３３に送信する。無線通信部３３は、解錠要求信号を受信した場合、受信した解錠要求信号を入出力部７８に出力する。
【０１１２】
制御部７６は、ステップＳ５１を実行した後、入出力部７８に解錠要求信号が入力されたか否かを判定する（ステップＳ５２）。制御部７６は、入出力部７８に解錠要求信号が入力されていないと判定した場合（Ｓ５２：ＮＯ）、ステップＳ５２を再び実行し、入出力部７８に解錠要求信号が入力されるまで待機する。
【０１１３】
制御部７６は、入出力部７８に解錠要求信号が入力されたと判定した場合（Ｓ５２：ＹＥＳ）、入出力部７８に入力された解錠要求信号に含まれている確認情報が所定情報と一致するか否かを判定する（ステップＳ５３）。制御部７６は、確認情報が所定情報と一致すると判定した場合（Ｓ５３：ＹＥＳ）、出力部７４に解錠信号の出力を指示する（ステップＳ５４）。これにより、出力部７４は、解錠信号を端末送信部３２に出力し、端末送信部３２は、解錠信号を、送信アンテナＴ３を介して車載装置２ａに送信する。
制御部７６は、確認情報が所定情報と一致していないと判定した場合（Ｓ５３：ＮＯ）、又は、ステップＳ５４を実行した後、解錠信号送信処理を終了する。
【０１１４】
図１６は、通信システム１の動作を示すシーケンス図である。第２無線端末４を用いて複数のドア２ｄ，２ｄ，・・・を解錠する動作を説明する。車両２００外にいる人物は、第２無線端末４にアクセス先情報を入力し、第２無線端末４にアクセス信号を第１無線端末３に無線で送信させる。第１無線端末３は、アクセス信号を受信した場合、情報要求信号を第２無線端末４に送信する。第２無線端末４は、情報要求信号を受信した場合、入力画面を表示する。車両２００外にいる人物は、確認情報を入力する。その後、第２無線端末４は、入力された確認情報を含む解錠要求信号を第１無線端末３に送信する。
【０１１５】
第１無線端末３は、解錠要求信号を受信した場合、受信した解錠要求信号に含まれる確認情報が所定情報であるか否かを判定する。第１無線端末３は、確認情報が所定情報であると判定した場合、解錠信号を車載装置２ａに送信する。車載装置２ａは、解錠信号を受信した場合、解錠を指示するドア信号をドアＥＣＵ２ｂに出力する。これにより、複数のドア２ｄ，２ｄ，・・・は解錠される。
以上のように構成された実施形態３における通信システム１は、実施形態１における通信システム１が奏する効果を同様に奏する。
【０１１６】
なお、実施形態１〜３において、アクセス信号の送信を省略してもよい。実施形態１，２における無線通信処理では、第２無線端末４の制御部６３は、ステップＳ１，Ｓ２の実行を省略し、ステップＳ３，Ｓ４，Ｓ５を実行する。無線通信部４０は、アクセス信号を送信せずに、アクセス先情報が示すサーバ５に情報信号を送信する。サーバ５の制御部５２は、サーバ通信部５０が情報信号を受信した場合にサーバ通信処理を実行する。実施形態１におけるサーバ通信処理では、制御部５２は、ステップＳ１１，Ｓ１２の実行を省略し、ステップＳ１３を実行する。実施形態２におけるサーバ処理では、制御部５２は、ステップＳ３１，Ｓ３２の実行を省略し、ステップＳ３３，Ｓ３４を実行する。
【０１１７】
実施形態３における無線通信処理では、第２無線端末４の制御部６３は、ステップＳ４１，Ｓ４２の実行を省略し、ステップＳ４３，Ｓ４４，Ｓ４５を実行する。無線通信部４０は、アクセス信号を送信せずに、アクセス先情報が示す第１無線端末３の無線通信部３３に解錠要求信号を送信する。第１無線端末３の制御部７６は、無線通信部３３が解錠要求信号を受信した場合に第２解錠信号送信処理を実行する。第２解錠信号送信処理では、制御部７６は、ステップＳ５１，Ｓ５２の実行を省略し、ステップＳ５３，Ｓ５４を実行する。
【０１１８】
（実施形態４）
図１７は、実施形態４における通信システム１の要部構成を示すブロック図である。
以下では、実施形態４について、実施形態１と異なる点を説明する。後述する構成を除く他の構成については、実施形態１と共通しているため、実施形態１と共通する構成部には実施形態１と同一の参照符号を付してその説明を省略する。
【０１１９】
実施形態４における通信システム１は、実施形態１における通信システム１が備える構成部の中で、第２無線端末４及びサーバ５を除く他の構成部を同様に備える。実施形態４における通信システム１では、車両２００外にいる人物は、車両２００内にある第１無線端末３に向けて音声を発することによって、第１無線端末３に解錠信号を車載装置２ａに送信させる。
【０１２０】
図１８は、第１無線端末３の要部構成を示すブロック図である。実施形態４における第１無線端末３は、実施形態１と同様に、端末受信部３０、強度検出部３１、端末送信部３２、マイコン３５、受信アンテナＲ３及び送信アンテナＴ３を有する。マイコン３５は、実施形態１と同様に、入力部７０，７１、出力部７４、記憶部７５及び制御部７６を有する。端末受信部３０、強度検出部３１、端末送信部３２、入力部７０，７１、出力部７４、記憶部７５、制御部７６、受信アンテナＲ３及び送信アンテナＴ３は実施形態１と同様に接続されている。
【０１２１】
第１無線端末３は、更に、マイク３６及びスピーカ３７を有する。マイコン３５は、更に、入力部９０及び出力部９１を有する。マイク３６及びスピーカ３７夫々は、入力部９０及び出力部９１に接続されている。入力部９０及び出力部９１はバス７７に接続されている。
【０１２２】
マイク３６には、音声が入力される。マイク３６は、音声が入力された場合、入力された入力音声を示す入力音声信号を入力部９０に出力する。制御部７６は、入力部９０から、入力音声信号を取得する。マイク３６は音声入力部として機能する。
出力部９１は、制御部７６の指示に従って、出力すべき音声を示す出力音声信号をスピーカ３７に出力する。スピーカ３７は、出力音声信号が入力された場合、出力音声信号が示す音声を出力する。
【０１２３】
図１９は、第２解錠信号送信処理の手順を示すフローチャートである。制御部７６は、入力音声が、予め決められた第１所定音声である入力音声信号が入力部９０に入力された場合、即ち、マイク３６に第１所定音声が入力された場合に第２解錠信号送信処理を実行する。
【０１２４】
まず、制御部７６は、マイク３６への音声出力を要求する音声を示す出力音声信号の出力を出力部９１に指示する（ステップＳ６１）。これにより、出力部９１は出力音声信号をスピーカ３７に出力し、スピーカ３７は、マイク３６への音声出力を要求する音声を出力する。これにより、車両２００外にいる人物に音声出力を促し、この人物は、音声をマイク３６に向けて発する。前述したように、マイク３６に音声が入力された場合、入力された入力音声を示す入力音声信号が入力部９０に入力される。
【０１２５】
制御部７６は、ステップＳ６１を実行した後、入力部９０に入力音声信号が入力されたか否かを判定する（ステップＳ６２）。制御部７６は、入力音声信号が入力されていないと判定した場合（Ｓ６２：ＮＯ）、ステップＳ６２を再び実行し、入力音声信号が入力されるまで待機する。制御部７６は、入力音声信号が入力されたと判定した場合（Ｓ６２：ＹＥＳ）、入力された入力音声信号が示す入力音声が、予め決められた第２所定音声であるか否かを判定する（ステップＳ６３）。
【０１２６】
制御部７６は、入力音声が第２所定音声であると判定した場合（Ｓ６３：ＹＥＳ）、出力部７４に解錠信号の出力を指示する（ステップＳ６４）。これにより、出力部７４は、解錠信号を端末送信部３２に出力し、端末送信部３２は、解錠信号を、送信アンテナＴ３を介して車載装置２ａに送信する。
制御部７６は、確認情報が所定情報と一致していないと判定した場合（Ｓ６３：ＮＯ）、又は、ステップＳ６４を実行した後、解錠信号送信処理を終了する。
【０１２７】
実施形態４における通信システム１では、車両２００外にいる人物は、第１音声を発することによって、第１無線端末３の制御部７６に解錠信号送信処理を実行させる。その後、車両２００外にいる人物は、第２所定音声を発する。これにより、第１無線端末３は解錠信号を車載装置２ａに送信し、複数のドア２ｄ，２ｄ，・・・が解錠される。従って、ドア２ｄの解錠用として予め決められた専用端末を用いる必要はない。
【０１２８】
開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【０１２９】
１  通信システム
２ａ  車載装置
２ｂ  ドアＥＣＵ
２ｃ  ドアモータ
２ｄ  ドア
２０  車両送信部
２１  車両受信部
２２，３５，４２  マイコン
３  第１無線端末
３０  端末受信部
３１  強度検出部
３２  端末送信部（解錠信号送信部）
３３  無線通信部（要求信号受信部）
３４  受付部
３６  マイク（音声入力部）
３７  スピーカ
４  第２無線端末
４０  無線通信部（情報信号送信部、要求信号送信部）
４１  タッチパネル（情報入力部）
５  サーバ
５０  サーバ通信部（情報信号受信部、要求信号送信部）
５１，６２，７５，８３  記憶部
５２  制御部（判定部）
５３，６４，７７，８５  バス
６０，６１，７８  入出力部
６３，８４  制御部
７０，７１，７２，７３，８２，９０  入力部
７４，８０，８１，９１  出力部
７６  制御部（判定部）
２００  車両
Ａ２，Ａ５  記憶媒体
Ｎ  ネットワーク
Ｐ２，Ｐ３，Ｐ４，Ｐ５  コンピュータプログラム
Ｒ２，Ｒ３  受信アンテナ
Ｔ２，Ｔ３  送信アンテナ
【図１】
2019065632.tif 000003
【図２】
2019065632.tif 000004
【図３】
2019065632.tif 000005
【図４】
2019065632.tif 000006
【図５】
2019065632.tif 000007
【図６】
2019065632.tif 000008
【図７】
2019065632.tif 000009
【図８】
2019065632.tif 000010
【図９】
2019065632.tif 000011
【図１０】
2019065632.tif 000012
【図１１】
2019065632.tif 000013
【図１２】
2019065632.tif 000014
【図１３】
2019065632.tif 000015
【図１４】
2019065632.tif 000016
【図１５】
2019065632.tif 000017
【図１６】
2019065632.tif 000018
【図１７】
2019065632.tif 000019
【図１８】
2019065632.tif 000020
【図１９】
2019065632.tif 000021